(57)【要約】【課題】遊技盤の取扱いを容易にできると共に，遊技盤の取付後においても有効に活用することができる取手を設けた遊技盤を有するパチンコ遊技機を提供すること。【解決手段】パチンコ遊技機１は，遊技領域を形成した遊技盤４を本体枠２に取り付けてなる。遊技盤４にはハンドリングする際に把持するための取手５が設けてあり，本体枠２には取手５に係合可能な係合部３が設けてある。そして，パチンコ遊技機１は，遊技盤４を本体枠２に取り付けた状態において，取手５を本体枠２に対して回動させて，両者を係合させることにより，遊技盤４を本体枠２に固定している。【選択図】　図１
2004024428.tif 000002
【特許請求の範囲】
【請求項１】
本体枠に，遊技盤を取り付けてなるパチンコ遊技機において，
上記遊技盤にはハンドリングする際に把持するための取手が設けてあると共に，上記本体枠には上記取手に係合可能な係合部が設けてあり，
上記遊技盤を上記本体枠に取り付けた状態において，両者を係合させることにより，上記遊技盤を上記本体枠に固定していることを特徴とするパチンコ遊技機。
【請求項２】
請求項１において，上記取手は，上記遊技盤の表面側又は裏面側に配設してあると共に，少なくとも該遊技盤から起立した状態と転倒した状態との間において移動可能に設けてあり，
上記取手を上記遊技盤の側面外方に向けて転倒させることにより，上記本体枠の上記係合部に係合するよう構成してあることを特徴とするパチンコ遊技機。
【請求項３】
請求項１において，上記取手は上記遊技盤の表面側又は裏面側に固定してあり，また，上記本体枠の上記係合部は上記遊技盤の表面側又は裏面側の領域に進入するように移動可能に設けてあり，
上記本体枠の上記係合部を移動させることにより，上記取手と上記係合部とが係合するよう構成してあることを特徴とするパチンコ遊技機
【請求項４】
請求項１において，上記取手は，上記遊技盤の板厚方向に設けた貫通穴に沿ってスライド可能に配設した取手本体部と，該取手本体部のスライドに伴って拡縮する拡縮部材とを有しており，
また，上記本体枠の上記係合部は，上記拡縮部材に掛止可能な掛止部材によって形成されており，
上記取手をスライドさせて上記拡縮部材を拡径させたときに，該拡縮部材を上記掛止部材に掛止して，上記取手を上記係合部に係合させるよう構成してあることを特徴とするパチンコ遊技機。
【請求項５】
請求項１〜４のいずれか一項において，上記遊技盤の取手と上記本体枠の係合部との係合状態においては，上記係合部から上記取手に対して上記遊技盤の平面方向に引張力又は押圧力が付与されるよう構成してあることを特徴とするパチンコ遊技機。
【請求項６】
請求項５において，上記係合部の引張力又は押圧力は，上記パチンコ遊技機に設けた遊技球の発射装置の方向に上記遊技盤を引っ張る又は押圧するよう付与してあることを特徴とするパチンコ遊技機。
【発明の詳細な説明】
【０００１】
【技術分野】
本発明は，本体枠に遊技盤を取り付けてなるパチンコ遊技機に関する。
【０００２】
【従来技術】
従来のパチンコ遊技機の本体枠においては，遊技盤を配置可能な遊技盤配置凹部を設けると共に，この遊技盤配置凹部の周辺には上記遊技盤を係合可能な係合部を設けている。この係合部は，回動可能になっており，回動させたときには上記遊技盤を上記本体枠との間に挟み込むよう構成されている。
そして，上記遊技盤を上記遊技盤配置凹部に配置した際には，上記係合部を回動させることにより，上記遊技盤を上記本体枠に固定している。
【０００３】
【解決しようとする課題】
しかしながら，上記従来の遊技盤には，この遊技盤を取り扱うための取手等の部材は設けられていない。そのため，この遊技盤を上記本体枠の遊技盤配置凹部に配置する際に，作業者が遊技盤を把持するための適当な個所がない。そのため，作業者は，比較的重量のある遊技盤を上記本体枠に取り付けることが困難である。
【０００４】
また，上記遊技盤を持ち運ぶ際にも，把持するための適当な個所がないため，この持ち運びが不便である。さらに，上記遊技盤の把持のためだけに上記取手を設けたのでは，この取手が遊技盤において無駄なスペースを占有してしまう。そのため，上記取手を設けるには，何らかの工夫が必要となる。
【０００５】
本発明は，かかる従来の問題点に鑑みてなされたもので，遊技盤の取扱いを容易にできると共に，遊技盤の取付後においても有効に活用することができる取手を設けた遊技盤を有するパチンコ遊技機を提供しようとするものである。
【０００６】
【課題の解決手段】
本発明は，本体枠に，遊技盤を取り付けてなるパチンコ遊技機において，
上記遊技盤にはハンドリングする際に把持するための取手が設けてあると共に，上記本体枠には上記取手に係合可能な係合部が設けてあり，
上記遊技盤を上記本体枠に取り付けた状態において，両者を係合させることにより，上記遊技盤を上記本体枠に固定していることを特徴とするパチンコ遊技機にある（請求項１）。
【０００７】
本発明においては，上記本体枠に設けた係合部に係合させる上記遊技盤の部材を，上記ハンドリングのための機能を持たせた取手としている。
なお，上記ハンドリングとは，上記遊技盤を上記本体枠との間で着脱する際の取扱い，又は上記遊技盤を持ち運ぶ際の取扱いのことをいう。
【０００８】
そのため，上記遊技盤を上記本体枠との間で着脱する際には，上記取手を把持することによって，この着脱を容易に行うことができる。また，上記遊技盤を持ち運ぶ際にも，上記取手を把持することによって，この持ち運びを容易にすることができる。
【０００９】
そして，上記取手は，上記ハンドリングのための機能だけでなく，上記遊技盤を上記本体枠に固定するための機能も備えている。そのため，上記遊技盤を上記本体枠に取り付けた後においても，有効に上記取手を活用することができる。
それ故，本発明によれば，遊技盤の取扱いを容易にできると共に，遊技盤の取付後においても有効に活用することができる取手を設けた遊技盤を有するパチンコ遊技機を提供することができる。
【００１０】
【発明の実施の形態】
上述した本発明における好ましい実施の形態につき説明する。
本発明においては，上記取手又は上記係合部の少なくとも一方は移動可能に設けておくことが好ましい。この場合には，上記取手と上記係合部との係合を容易に行うことができる。
また，上記取手は，上記遊技盤の表面側に取り付けたレール飾りに設けることができる。この場合には，上記取手の形成が容易である。
【００１１】
また，上記取手は，上記遊技盤の表面側又は裏面側に配設してあると共に，少なくとも該遊技盤から起立した状態と転倒した状態との間において移動可能に設けてあり，上記取手を上記遊技盤の側面外方に向けて転倒させることにより，上記本体枠の上記係合部に係合するよう構成してあることが好ましい（請求項２）。
【００１２】
この場合には，上記取手は，上記ハンドリングを行う際には上記起立した状態にして，容易に把持することができる。一方，上記取手は，上記遊技盤を上記本体枠に取り付けた後においては，上記転倒した状態にして，上記係合部と係合させることができる。
そのため，上記遊技盤の取扱いが容易であると共に，この遊技盤を上記本体枠に取り付けた際に，上記取手が上記遊技盤の表面側又は裏面側において大きなスペースを占有してしまうことを抑制することができる。
【００１３】
また，上記取手は，上記遊技盤の表面側又は裏面側に固定してあり，また，上記本体枠の上記係合部は上記遊技盤の表面側又は裏面側の領域に進入するように移動可能に設けてあり，上記本体枠の上記係合部を移動させることにより，上記取手と上記係合部とが係合するよう構成してあることが好ましい（請求項３）。この場合には，上記ハンドリングを行う際に，作業者は，上記固定した取手を把持することができる。また，この固定した取手により，上記遊技盤における取手の構造を簡単にすることができ，この取手が上記遊技盤の表面側又は裏面側において大きなスペースを占有してしまうことを抑制することができる。
【００１４】
また，上記取手は，上記遊技盤の板厚方向に設けた貫通穴に沿ってスライド可能に配設した取手本体部と，該取手本体部のスライドに伴って拡縮する拡縮部材とを有しており，また，上記本体枠の上記係合部は，上記拡縮部材に掛止可能な掛止部材によって形成されており，上記取手をスライドさせて上記拡縮部材を拡径させたときに，該拡縮部材を上記掛止部材に掛止して，上記取手を上記係合部に係合させるよう構成してあることが好ましい（請求項４）。
この場合には，上記遊技盤を上記本体枠に取り付ける際，又は上記遊技盤を上記本体枠より取り外す際に，上記取手をスライドさせるだけで，容易に上記取付又は取外しを行うことができる。
【００１５】
また，上記遊技盤の取手と上記本体枠の係合部との係合状態においては，上記係合部から上記取手に対して上記遊技盤の平面方向に引張力又は押圧力が付与されるよう構成してあることが好ましい（請求項５）。
この場合には，上記遊技盤を上記本体枠に取り付けた後，遊技盤が本体枠より動いてしまうことを防止することができ，遊技盤が本体枠に対してぐらついてしまうことを防止することができる。
【００１６】
また，上記係合部の引張力又は押圧力は，上記パチンコ遊技機に設けた遊技球の発射装置の方向に上記遊技盤を引っ張る又は押圧するよう付与してあることが好ましい（請求項６）。
この場合には，上記係合部の引張力又は押圧力により，上記遊技盤におけるレールと上記パチンコ遊技機における発射装置とに位置ずれが発生してしまうことを防止することができる。
【００１７】
【実施例】
以下に，図面を用いて本発明の実施例につき説明する。
（実施例１）
図１〜図４に示すごとく，本例のパチンコ遊技機１は，遊技領域を形成した遊技盤４を本体枠２に取り付けてなる。上記遊技盤４にはハンドリングする際に把持するための取手５が設けてあり，上記本体枠２には上記取手５に係合可能な係合部３が設けてある。
そして，上記パチンコ遊技機１は，上記遊技盤４を上記本体枠２に取り付けた状態において，上記取手５を上記本体枠２に対して移動させて，両者を係合させることにより，上記遊技盤４を上記本体枠２に固定している。
なお，上記ハンドリングとは，上記遊技盤４を上記本体枠２に取り付けるもしくは上記本体枠２より取り外す際の取扱い，又は上記遊技盤４を持ち運ぶ際の取扱いのことをいう。
【００１８】
以下に，これを詳説する。
図１〜図４に示すごとく，本例の取手５は，上記遊技盤４の表面側４０１に配設してあると共に，この遊技盤４から起立した状態と転倒した状態との間において回動可能に設けてある。そして，図４に示すごとく，上記取手５は，上記遊技盤４の側面外方に向けて転倒させた際に，上記本体枠２の上記係合部３に係合するよう構成してある。
また，図３に示すごとく，上記取手５は，上記遊技盤４に回動可能に取り付けられた一対の回動取付部５２と，この一対の回動取付部５２同士の間を結ぶ取手本体部５１とよりなる。また，この取手本体部５１は，作業者が握り易くするために，把持部５１１と，この把持部５１１を折り曲げて形成した一対の折り曲げ部５１２とよりなり，折り曲げ部５１２の先端に上記回動取付部５２が設けてある。
【００１９】
また，図２に示すごとく，上記本体枠２には，上記遊技盤４を配置するための遊技盤配置凹部２１が形成してある。本例のパチンコ遊技機１は，上記遊技盤４を上記本体枠２の前面（正面）より取り付けるタイプのものである。そして，本例の係合部３は，上記遊技盤配置凹部２１の近傍において，パチンコ遊技機１の正面から見て右側に２つ設けてある。
また，図３，図４に示すごとく，上記取手５は，上記遊技盤４の正面から見て右側の部分に設けられており，転倒させた状態で，遊技盤４の右側の側面外方に突出し，上記２つの係合部３に係合する。
【００２０】
また，図１，図４に示すごとく，上記係合部３は，弾性変形可能な弾性部材より形成されており，本体枠２より立設させた立設部３１と，この立設部３１の先端に突出して設けた掛止部３２とを有している。また，立設部３１は，上記取手５を転倒させたときに，遊技盤４の平面方向Ａに押圧するようになっている。本例の平面方向Ａは，遊技球の発射装置１１が設けてある方向Ａである（パチンコ遊技機１の正面から見て左側の方向）。
そして，上記取手５と上記係合部３との係合状態においては，上記係合部３から上記取手５に対して上記発射装置１１の方向Ａに押圧力が付与される。そのため，上記係合部３は，上記遊技盤４を上記本体枠２に取り付けた状態においては，遊技盤４を上記発射装置１１の方向Ａに押圧する。
【００２１】
そのため，上記取付後には，上記遊技盤４が上記本体枠２に対して，左右方向にぐらついてしまうことを防止することができる。また，上記係合部３の押圧力により，上記遊技盤４におけるレール４１と上記発射装置１１とに位置ずれが発生してしまうことを防止することができる。
【００２２】
また，図２，図４に示すごとく，パチンコ遊技機１の正面から見て左側には，上記係合部３と共に上記遊技盤４を上記本体枠２に固定するための固定突起２２が設けてある。この固定突起２２は，上記遊技盤配置凹部２１の側面より内側に向けて突出して形成されている。
【００２３】
また，上記遊技盤配置凹部２１には，これに配置した遊技盤４を正面側（本体枠２の前面側）に押さえ付けておくための押圧部材２３が配設されている。この押圧部材２３は，上記本体枠２の正面から見て左右にそれぞれ２つ設けてある。この押圧部材２３により，上記遊技盤４を上記本体枠２に取り付けた後に，遊技盤４が本体枠２に対して，前後方向（パチンコ遊技機１の奥行方向）にぐらついてしまうことを防止することができる。
【００２４】
そして，上記取手５を設けた遊技盤４を，上記本体枠２の遊技盤配置凹部２１に配置する際には，作業者は，上記起立状態にある取手５を把持しながら，まず，遊技盤４の左側の部分を上記遊技盤配置凹部２１と上記固定突起２２との間に斜め前方より挿入する。そして，その後，上記取手５を設けた遊技盤４の右側の部分を上記遊技盤配置凹部２１に配置する。このように，上記遊技盤４を本体枠２に配置する際には，上記起立した状態の取手５を把持することができるため，作業者は容易に上記配置を行うことができる。
また，上記遊技盤４を持ち運ぶ際にも，作業者は上記起立した状態の取手５を把持することができ，容易にこの持ち運びを行うことができる。
【００２５】
次いで，図４に示すごとく，上記遊技盤４を本体枠２に配置した後には，上記取手５を転倒させるよう回動させる。このとき，上記取手５の取手本体部５１における把持部５１１が上記係合部３の掛止部３２に設けたガイド部３２１に当接する。そして，上記係合部３は，上記把持部５１１を上記ガイド部３２１の表面を滑らせながら弾性変形をする。そして，上記取手５を上記転倒状態にしたときには，上記把持部５１１は上記係合部３の掛止部３２に掛止される。こうして，上記取手５と上記係合部３とが係合して，上記遊技盤４が上記本体枠２に固定される。
【００２６】
このように，上記取手５は，上記ハンドリングのための機能（上記遊技盤４を上記本体枠２との間で着脱する際の取扱いの容易さ，又は上記遊技盤４を持ち運ぶ際の取扱いの容易さ）を備えているだけでなく，上記遊技盤４を上記本体枠２に固定するための機能も備えている。そのため，上記取手５は，上記遊技盤４を上記本体枠２に取り付けた後においても，有効に活用することができる。
【００２７】
また，上記のごとく，上記取手５は，上記遊技盤４を本体枠２に取り付けた後においては，上記転倒状態にする。そのため，上記取手５が，上記遊技盤４の表面側４０１において大きなスペースを占有してしまうことを抑制することができる。
それ故，上記パチンコ遊技機１によれば，遊技盤４の取扱いを容易にできると共に，この遊技盤４におけるスペースを有効に活用することができる。
【００２８】
（実施例２）
本例は，図５〜図８に示すごとく，上記取手５を上記遊技盤４の表面側４０１に固定して設けると共に，上記係合部３を上記本体枠２に回動可能に設けた例である。そして，上記係合部３は，上記遊技盤４を配置する遊技盤配置凹部２１の近傍に設けてあり，回動させたときに，上記遊技盤４の表面側４０１の領域に進入するようになっている。
【００２９】
図７に示すごとく，本例の取手５は，凹部５３を有するブロック状のものであり，上記凹部５３を上方に向けて上記遊技盤４の上側の部分に２つ設けてある。また，図６に示すごとく，上記係合部３は，上記本体枠２に対して回動可能に取り付けられた回動支点部３４と，上記凹部５３に係合する係合突出部３３１を有するアーム部３３とよりなる。また，上記係合部３は，上記本体枠２の上側の部分における上記取手５に対応する位置に左右一対に設けてある。
また，上記本体枠２の下側の部分には，上記係合部３と共に上記遊技盤４を本体枠２に固定するための固定突起２２が設けてある。
【００３０】
そして，上記取手５を設けた遊技盤４を，上記本体枠２の遊技盤配置凹部２１に配置する際には，作業者は，上記取手５を把持しながらこの配置を行う。なお，このとき，作業者は上記取手５の凹部５３に指を掛けてこの配置を行うこともできる。そして，まず，遊技盤４の下側の部分を上記遊技盤配置凹部２１と上記固定突起２２との間に斜め前方より挿入する。
【００３１】
次いで，上記取手５を設けた遊技盤４の上側の部分を上記遊技盤配置凹部２１に配置する。こうして，上記遊技盤４を本体枠２に配置する際には，作業者は，上記固定した状態の取手５を把持して，容易に上記配置を行うことができる。
また，上記遊技盤４を持ち運ぶ際にも，作業者は上記取手５を把持して，容易にこの持ち運びを行うことができる。
【００３２】
次いで，図５，図８に示すごとく，上記遊技盤４を本体枠２に配置した後には，上記係合部３を回動させて，この係合部３の係合突出部３３１を上記取手５の凹部５３に挿入配置する。こうして，上記取手５と上記係合部３とが係合して，上記遊技盤４が上記本体枠２に固定される。
本例においても，上記取手５は，上記ハンドリングのための機能だけでなく，上記遊技盤４を上記本体枠２に固定するための機能も備えている。そのため，上記取手５は，上記遊技盤４を上記本体枠２に取り付けた後においても，有効に活用することができる。その他は上記実施例１と同様であり，上記実施例１と同様の作用効果を得ることができる。
【００３３】
（実施例３）
本例は，図９〜図１３に示すごとく，上記取手５を上記遊技盤４の表面側４０１に，この遊技盤４の板厚方向にスライド可能に設け，上記係合部３は上記本体枠２に固定して設けた例である。また，図１１に示すごとく，本例の取手５は，上記遊技盤４の板厚方向に設けた貫通穴４０に沿ってスライド可能に配設した取手本体部５４と，この取手本体部５４のスライドに伴って拡縮する拡縮部材５５とを有している。また，上記本体枠２の上記係合部３は，上記拡縮部材５５に係合可能な掛止部材３４によって形成されている。
そして，本例においては，上記遊技盤４を上記本体枠２に配置した後，上記取手５をスライドさせて上記拡縮部材５５を拡径させたときに，この拡縮部材５５を上記掛止部材３４に掛止して，上記取手５を上記係合部３に係合させる。
【００３４】
図１１〜図１３に示すごとく，本例では，上記遊技盤４の貫通穴４０の端面には，上記拡縮部材５５を挿入配設するための貫通穴４２１を有するリテーナ４２を配設している。そして，上記拡縮部材５５は，上記リテーナ４２に固定する固定部５５１と，この固定部５５１より立設した筒状の弾性変形部５５２とを有している。また，この弾性変形部５５２は，複数に分割して設けてあり（本例では４つに分割されている。），容易に弾性変形を行うようになっている。
【００３５】
また，上記取手本体部５４の先端部分には，上記拡縮部材５５の内周側を挿通可能な基端部５４１を有している。この基端部５４１は，上記拡縮部材５５の内周側をスライド可能となるようこの拡縮部材５５と組み付けてある。
上記取手本体部５４は，上記遊技盤４の方向に近づけた押込み位置と，上記遊技盤４から遠ざける方向に引き出した引出し位置との間でスライド可能になっている。そして，上記取手５は，上記取手本体部５４を上記引出し位置にスライドさせたときには，上記弾性変形部５５２を縮径させ，上記押込み位置にスライドさせたときには，上記弾性変形部５５２を拡径させるようになっている。
【００３６】
また，上記取手本体部５４の基端部５４１には，上記弾性変形部５５２の内周側に配置される第１拡径部５４２と，上記基端部５４１の先端部分に形成された第２拡径部５４３とを有している。
また，上記拡縮部材５５の弾性変形部５５２の内周側には，上記第１拡径部５４２を摺動可能に配置する摺動凹部５５３と，上記第２拡径部５４３を掛止させる掛止突起部５５４とを有している。
また，上記本体枠２の掛止部材３４には，固定部３４１と，この固定部３４１より環状に立設した環状立設部３４２とを有しており，この環状立設部３４２の先端部分には環状穴３４３の内周方向に突出した内周突起部３４４を有している。
【００３７】
本例においては，上記遊技盤４を上記本体枠２に取り付けるに際しては，まず，上記本体枠２に設けた遊技盤配置凹部２１と上記本体枠２に設けた固定突起２２との間に，遊技盤４の一方の端部を挿入する。そして，上記本体枠２における掛止部材３４の正面側（その前方）より上記遊技盤４を上記遊技盤配置凹部２１に配置する。このとき，図１１，図１２に示すごとく，上記遊技盤４における拡縮部材５５を上記本体枠２における掛止部材３４の環状穴３４３に挿入する。また，このとき，上記取手本体部５４は，上記引出し位置にある。
【００３８】
次いで，図１３に示すごとく，上記遊技盤４を上記本体枠２の遊技盤配置凹部２１に配置した後，上記取手本体部５４を上記押込み位置にスライドさせる。このとき，上記取手本体部５４の基端部５４１における第１拡径部５４２が上記掛止部材３４の弾性変形部５５２における摺動凹部５５３を摺動すると共に，上記第２拡径部５４３が上記弾性変形部５５２における掛止突起部５５４を乗り越えて，この掛止突起部５５４よりも先端側に突出する。
そして，この第２拡径部５４３の突出により，上記拡縮部材５５の弾性変形部５５２が外周方向に弾性変形する。そして，上記弾性変形部５５２の外周部５５５が上記本体枠２に設けた掛止部材３４の内周突起部３４４に掛止される。
【００３９】
これにより，上記取手５を上記係合部３に係合させることができ，上記遊技盤４を上記本体枠２に固定することができる。また，本例においては，上記遊技盤４を上記本体枠２に取り付ける際又は上記遊技盤４を上記本体枠２より取り外す際に，上記取手５をスライドさせるだけで，容易に上記取付又は取外しを行うことができる。その他は上記実施例１と同様であり，上記実施例１と同様の作用効果を得ることができる。
【００４０】
なお，上記各実施例においては，上記取手５は，上記遊技盤４を上記本体枠２の前面側より取り付けるタイプのパチンコ遊技機１に適用したため，遊技盤４の前面側に配設した。これに対し，上記取手５は，上記遊技盤４を上記本体枠２の裏面側より取り付けるタイプのパチンコ遊技機１に適用する場合には，遊技盤４の裏面側に配設することもできる。
【図面の簡単な説明】
【図１】実施例１における，パチンコ遊技機を示す正面図。
【図２】実施例１における，本体枠を示す正面図。
【図３】実施例１における，遊技盤を示す説明図。
【図４】実施例１における，パチンコ遊技機を示す断面説明図。
【図５】実施例２における，パチンコ遊技機を示す正面図。
【図６】実施例２における，本体枠を示す正面図。
【図７】実施例２における，遊技盤を示す説明図。
【図８】実施例２における，パチンコ遊技機を示す断面説明図。
【図９】実施例３における，パチンコ遊技機を示す正面図。
【図１０】実施例３における，遊技盤を示す説明図。
【図１１】実施例３における，係合部と取手とを示す主要部拡大説明図。
【図１２】実施例３における，係合部と取手とを示す図で，遊技盤における拡縮部材を本体枠における掛止部材の環状穴に挿入した状態を示す主要部拡大説明図。
【図１３】実施例３における，係合部と取手とを示す図で，遊技盤における弾性変形部の外周部が本体枠に設けた掛止部材の内周突起部に掛止された状態を示す主要部拡大説明図。
【符号の説明】
１．．．パチンコ遊技機，
１１．．．発射装置，
２．．．本体枠，
３．．．係合部，
３４．．．掛止部材，
４．．．遊技盤，
４０１．．．表面側，
５．．．取手，
５４．．．取手本体部，
５４１．．．基端部，
５５．．．拡縮部材，
【図１】
2004024428.tif 000003
【図２】
2004024428.tif 000004
【図３】
2004024428.tif 000005
【図４】
2004024428.tif 000006
【図５】
2004024428.tif 000007
【図６】
2004024428.tif 000008
【図７】
2004024428.tif 000009
【図８】
2004024428.tif 000010
【図９】
2004024428.tif 000011
【図１０】
2004024428.tif 000012
【図１１】
2004024428.tif 000013
【図１２】
2004024428.tif 000014
【図１３】
2004024428.tif 000015